(57)【要約】【課題】収納企業や金融機関に負担をかけることなく、収納企業が送付した請求書には対応していない支払方法により支払者が代金を支払うことを可能とする。【解決手段】端末装置２０は、コンビニ払いの請求書１０に印刷されているバーコード１１から読み取ったバーコード情報と、ＡＴＭ払いを利用する旨の情報をバーコード決済センター装置３０へ送信する。バーコード決済センター装置３０は、ＡＴＭ払いに用いる決済番号を生成してバーコード情報と対応付けて記憶するとともに、決済番号を端末装置２０へ表示させる。支払者がＡＴＭ４０に決済番号を入力して支払を行なうと、決済番号と支払完了とがバーコード決済センター装置３０へ通知される。バーコード決済センター装置３０は、受信した決済番号に対応したバーコード情報を収納企業装置５０に通知し、収納企業装置５０は、受信したバーコード情報により特定される請求の消込処理を行う。【選択図】図１
2010039619.tif 000002
【特許請求の範囲】
【請求項１】
決済装置と、収納企業の収納企業装置と、支払者が代金の払込を行なう金融機関の払込システムとをネットワークを介して接続してなる収納システムであって、
前記決済装置は、
端末装置から、前記収納企業からの請求において支払対象を特定する情報及び支払者を特定する情報と、支払金額の情報とを少なくとも含む支払情報を受信する情報受信部と、
前記支払者が選択した支払方法の情報を受信し、当該情報により示される支払方法が前記払込システムを用いた支払であった場合に決済番号を割り当て、割り当てた決済番号と、前記情報受信部が受信した支払情報とを対応づけて当該決済装置の備える決済装置記憶部に書き込む情報生成部と、
前記端末装置へ前記情報生成部が生成した決済番号を通知する決済番号通知部と、
前記払込システムから決済番号及び支払完了の通知を受信した場合に、受信した当該決済情報に対応した前記支払情報を前記決済装置記憶部から読み出し、読み出した当該支払情報を前記収納企業装置へ送信する消込通知部と
を備え、
前記払込システムは、
前記決済番号の入力を受けるとともに、前記収納企業から請求された代金の払込処理が行なわれた場合に、入力された当該決済番号と、支払完了とを前記決済装置へ通知する通知部
を備え、
前記収納企業装置は、
前記支払情報を記憶する収納企業装置記憶部と、
前記決済装置から前記支払情報を受信し、受信した当該支払情報に対応させて支払済を示す情報を前記収納企業装置記憶部に書き込む消込部と、
を備える、
ことを特徴とする収納システム。
【請求項２】
前記決済装置は、
前記払込システムから決済番号を受信し、受信した決済番号に対応して前記決済装置記憶部に記憶されている支払情報から請求金額の情報を読み出して返送する情報検索部をさらに備え、
前記払込システムの前記通知部は、
入力を受けた前記決済番号を前記決済装置へ送信し、送信した当該決済番号に対応して請求金額の情報を受信するとともに、当該請求金額の払込処理が行なわれた場合に、支払完了を前記決済装置へ通知する、
ことを特徴とする請求項１に記載の収納システム。
【請求項３】
前記消込通知部は、前記支払完了の通知を受信した場合に、受信した前記決済番号に対応した前記支払情報により特定される請求が支払済である旨の情報を前記決済装置記憶部に書き込むとともに、支払済である旨の情報が書き込まれている支払情報を前記決済装置記憶部から読み出して前記収納企業装置へ送信する、
ことを特徴とする請求項１または請求項２に記載の収納システム。
【請求項４】
前記払込システムの前記通知部は、現金自動預払機に入力された決済番号を前記決済装置へ通知するとともに、当該現金自動預払機による払込処理が行なわれた場合に、支払完了を前記決済装置へ通知する、
ことを特徴とする請求項１から請求項３のいずれかの項に記載の収納システム。
【請求項５】
前記端末装置は、
前記支払情報を示す画像を読み取る読取部と、
前記読取部によって読み取った画像で示される前記支払情報を前記決済装置に送信する情報送信部とを備える、
ことを特徴とする請求項１から請求項４のいずれかの項に記載の収納システム。
【請求項６】
決済装置と、収納企業の収納企業装置と、支払者が代金の払込を行なう金融機関の払込システムとをネットワークを介して接続してなる収納システムにおける前記決済装置であって、
端末装置から、前記収納企業からの請求において支払対象を特定する情報及び支払者を特定する情報と、支払金額の情報とを少なくとも含む支払情報を受信する情報受信部と、
前記支払者が選択した支払方法の情報を受信し、当該情報により示される支払方法が前記払込システムを用いた支払であった場合に決済番号を割り当て、割り当てた決済番号と、前記情報受信部が受信した支払情報とを対応づけて決済装置記憶部に書き込む情報生成部と、
前記端末装置へ前記情報生成部が生成した決済番号を通知する決済番号通知部と、
前記払込システムから決済番号及び支払完了の通知を受信した場合に、受信した当該決済情報に対応した前記支払情報を前記決済装置記憶部から読み出し、読み出した当該支払情報を前記収納企業装置へ送信する消込通知部と、
を備えることを特徴とする決済装置。
【請求項７】
決済装置と、収納企業の収納企業装置と、支払者が代金の払込を行なう金融機関の払込システムとをネットワークを介して接続してなる収納システムにおける前記決済装置として用いられるコンピュータを、
端末装置から、前記収納企業からの請求において支払対象を特定する情報及び支払者を特定する情報と、支払金額の情報とを少なくとも含む支払情報を受信する情報受信部、
前記支払者が選択した支払方法の情報を受信し、当該情報により示される支払方法が前記払込システムを用いた支払であった場合に決済番号を割り当て、割り当てた決済番号と、前記情報受信部が受信した支払情報とを対応づけて決済装置記憶部に書き込む情報生成部、
前記端末装置へ前記情報生成部が生成した決済番号を通知する決済番号通知部、
前記払込システムから決済番号及び支払完了の通知を受信した場合に、受信した当該決済情報に対応した前記支払情報を前記決済装置記憶部から読み出し、読み出した当該支払情報を前記収納企業装置へ送信する消込通知部、
として機能させることを特徴とするコンピュータプログラム。
【発明の詳細な説明】
【技術分野】
【０００１】
本発明は、請求代金の収納を行なう収納システム、決済装置、及び、コンピュータプログラムに関する。
【背景技術】
【０００２】
近年、サービスや商品の代金を、コンビニエンスストア（以下、「コンビニ」とも記載）において支払い、コンビニエンスストアからその支払われた代金を収納企業に入金するコンビニ収納が広く利用されている。
一方、特許文献１には、振込ＩＤと振込先情報及び取引情報とを関連付けて記憶しておき、取引先はこの振込ＩＤを用いて振込みを行なうＩＤ振込サービスシステムについて記載されている。
【特許文献１】特開２００４−２８７９３５号公報
【発明の開示】
【発明が解決しようとする課題】
【０００３】
このコンビニ収納には、支払者や支払対象、金額などを示すコンビニバーコードが印刷された請求書が用いられるが、このコンビニ収納用の請求書にて請求された代金を、銀行ＡＴＭ（Automatic Teller Machine）にて支払いたいというニーズがある。しかし、現在広く普及している銀行ＡＴＭにはバーコードを読み取る機能はなく、銀行ＡＴＭにバーコード読み取り機能を付加しようとした場合、ハードウェアの改造のためのコストや期間が膨大となってしまい、現実的ではない。しかし、特許文献１の技術をそのまま使用することでは、支払者がＡＴＭによる支払を行なうか否かわからないにもかかわらず、予め収納企業において振込先情報及び取引情報を生成して登録を行なう必要があり、収納企業の負担となってしまう。
【０００４】
本発明は、上記の事情に鑑みてなされたものであり、収納企業や金融機関に負担をかけることなく、収納企業が送付した請求書には対応していない支払方法により支払者が代金を支払うことを可能とする収納システム、決済装置、及び、コンピュータプログラムを提供することを目的とする。
【課題を解決するための手段】
【０００５】
上記課題を解決するため、本発明は、決済装置と、収納企業の収納企業装置と、支払者が代金の払込を行なう金融機関の払込システムとをネットワークを介して接続してなる収納システムであって、前記決済装置は、端末装置から、前記収納企業からの請求において支払対象を特定する情報及び支払者を特定する情報と、支払金額の情報とを少なくとも含む支払情報を受信する情報受信部と、前記支払者が選択した支払方法の情報を受信し、当該情報により示される支払方法が前記払込システムを用いた支払であった場合に決済番号を割り当て、割り当てた決済番号と、前記情報受信部が受信した支払情報とを対応づけて当該決済装置の備える決済装置記憶部に書き込む情報生成部と、前記端末装置へ前記情報生成部が生成した決済番号を通知する決済番号通知部と、前記払込システムから決済番号及び支払完了の通知を受信した場合に、受信した当該決済情報に対応した前記支払情報を前記決済装置記憶部から読み出し、読み出した当該支払情報を前記収納企業装置へ送信する消込通知部とを備え、前記払込システムは、前記決済番号の入力を受けるとともに、前記収納企業から請求された代金の払込処理が行なわれた場合に、入力された当該決済番号と、支払完了とを前記決済装置へ通知する通知部を備え、前記収納企業装置は、前記支払情報を記憶する収納企業装置記憶部と、前記決済装置から前記支払情報を受信し、受信した当該支払情報に対応させて支払済を示す情報を前記収納企業装置記憶部に書き込む消込部と、を備える、ことを特徴とする収納システムである。
【０００６】
また、本発明は、上述する収納システムにおいて、前記決済装置は、前記払込システムから決済番号を受信し、受信した決済番号に対応して前記決済装置記憶部に記憶されている支払情報から請求金額の情報を読み出して返送する情報検索部をさらに備え、前記払込システムの前記通知部は、入力を受けた前記決済番号を前記決済装置へ送信し、送信した当該決済番号に対応して請求金額の情報を受信するとともに、当該請求金額の払込処理が行なわれた場合に、支払完了を前記決済装置へ通知する、ことを特徴とする。
【０００７】
また、本発明は、上述する収納システムにおいて、前記消込通知部は、前記支払完了の通知を受信した場合に、受信した前記決済番号に対応した前記支払情報により特定される請求が支払済である旨の情報を前記決済装置記憶部に書き込むとともに、支払済である旨の情報が書き込まれている支払情報を前記決済装置記憶部から読み出して前記収納企業装置へ送信する、ことを特徴とする。
【０００８】
また、本発明は、上述する収納システムにおいて、前記払込システムの前記通知部は、現金自動預払機に入力された決済番号を前記決済装置へ通知するとともに、当該現金自動預払機による払込処理が行なわれた場合に、支払完了を前記決済装置へ通知する、ことを特徴とする。
【０００９】
また、本発明は、上述する収納システムにおいて、前記端末装置は、前記支払情報を示す画像を読み取る読取部と、前記読取部によって読み取った画像で示される前記支払情報を前記決済装置に送信する情報送信部とを備える、ことを特徴とする。
【００１０】
また、本発明は、決済装置と、収納企業の収納企業装置と、支払者が代金の払込を行なう金融機関の払込システムとをネットワークを介して接続してなる収納システムにおける前記決済装置であって、端末装置から、前記収納企業からの請求において支払対象を特定する情報及び支払者を特定する情報と、支払金額の情報とを少なくとも含む支払情報を受信する情報受信部と、前記支払者が選択した支払方法の情報を受信し、当該情報により示される支払方法が前記払込システムを用いた支払であった場合に決済番号を割り当て、割り当てた決済番号と、前記情報受信部が受信した支払情報とを対応づけて決済装置記憶部に書き込む情報生成部と、前記端末装置へ前記情報生成部が生成した決済番号を通知する決済番号通知部と、前記払込システムから決済番号及び支払完了の通知を受信した場合に、受信した当該決済情報に対応した前記支払情報を前記決済装置記憶部から読み出し、読み出した当該支払情報を前記収納企業装置へ送信する消込通知部と、を備えることを特徴とする決済装置である。
【００１１】
また、本発明は、決済装置と、収納企業の収納企業装置と、支払者が代金の払込を行なう金融機関の払込システムとをネットワークを介して接続してなる収納システムにおける前記決済装置として用いられるコンピュータを、端末装置から、前記収納企業からの請求において支払対象を特定する情報及び支払者を特定する情報と、支払金額の情報とを少なくとも含む支払情報を受信する情報受信部、前記支払者が選択した支払方法の情報を受信し、当該情報により示される支払方法が前記払込システムを用いた支払であった場合に決済番号を割り当て、割り当てた決済番号と、前記情報受信部が受信した支払情報とを対応づけて決済装置記憶部に書き込む情報生成部、前記端末装置へ前記情報生成部が生成した決済番号を通知する決済番号通知部、前記払込システムから決済番号及び支払完了の通知を受信した場合に、受信した当該決済情報に対応した前記支払情報を前記決済装置記憶部から読み出し、読み出した当該支払情報を前記収納企業装置へ送信する消込通知部、として機能させることを特徴とするコンピュータプログラムである。
【発明の効果】
【００１２】
本発明によれば、収納企業装置や既存のコンビニ収納の帳票等を含め収納企業における変更がなく、また、金融機関のＡＴＭに機能を追加することなく、コンビニ収納のために収納企業から発行された請求書を受領した支払者が、ＡＴＭによりその請求書で請求された代金を支払うことが可能となる。従って、支払者が利用できる支払チャネルが増える。また、金融機関は、基幹システムの軽微な変更のみで、コンビニ決済を金融機関での支払いへと誘導することができる。
【発明を実施するための最良の形態】
【００１３】
以下、図面を参照して本発明の実施の形態の例について説明する。
図１は、本発明の一実施の形態による収納システムの概要を示す図である。
まず、サービス料金の収納を行う収納機関は、バーコード１１が印刷された請求書１０を支払者へ郵送する（ステップＳ１）。請求書１０は、コンビニ収納で用いられる請求書であり、請求書１０に印刷されているバーコード１１が示すバーコード情報には、支払対象としての料金支払先企業の識別や、サービス利用者である支払者の識別、支払金額などの情報が含まれる。支払者は、請求された代金を支払うために、まず、自身の保有する携帯電話などの端末装置２０の支払アプリケーションを起動し、請求書１０に印刷されているバーコード１１を読み取る（ステップＳ２）。端末装置２０は、読み取ったバーコード１１により示される、支払情報としてのバーコード情報を、ＡＳＰ（アプリケーションサービスプロバイダ）であるバーコード決済センターが保有するバーコード決済センター装置３０へ送信する（ステップＳ３）。
【００１４】
バーコード決済センター装置３０は、受信したバーコード情報によりバーコード１１の正当性をチェックし（ステップＳ４）、正当であれば支払内容及び支払方法を端末装置２０へ表示させる（ステップＳ５）。支払者が、支払方法としてＡＴＭ（Automatic Teller Machine：現金自動預払機）による支払いを選択すると、ＡＴＭによる支払いが選択された旨の通知がバーコード決済センター装置３０へ送信される（ステップＳ６）。バーコード決済センター装置３０は、受信したバーコード情報を自身の備えるデータベース（ＤＢ）に登録するとともに、ＡＴＭによる支払に使用するキー、例えば、ペイジー（登録商標）などの電子決済サービスで用いられる決済番号を発行し、バーコード情報と対応付けてデータベースに登録する（ステップＳ７）。バーコード決済センター装置３０は、発行した決済番号を端末装置２０へ表示させる（ステップＳ８）。
【００１５】
支払者は、金融機関のＡＴＭ４０に、端末装置２０に表示された決済番号を入力し、さらに、現金を投入するか、キャッシュカードを投入して、代金の支払を行なう（ステップＳ９）。このとき支払者によって支払われた代金は、金融機関が支払われた代金を一時的にプールしておくための別段口座へ入金される。金融機関通信装置４５は、ＡＴＭ４０での支払い時に入力された決済番号と、支払完了とを示す消込情報をバーコード決済センター装置３０へ通知する（ステップＳ１０）。
【００１６】
バーコード決済センター装置３０は、受信した消込情報に設定されている決済番号に対応したバーコード情報を特定し、この特定したバーコード情報を記述したファイルを生成する（ステップＳ１１）。バーコード決済センター装置３０は、収納企業装置５０から消込対象の問合せを受信すると、生成したファイルを返送する。このとき、収納代行会社を通じてファイル送信をおこなってもよい。収納企業装置５０は、受信したファイルに記述されているバーコード情報で特定される請求の消込を行なう（ステップＳ１２）。
【００１７】
金融機関は、別段口座にプールしていた複数支払者からの代金をバーコード決済センターの口座へ入金し（ステップＳ１３）、その後、バーコード決済センター装置は、バーコード決済センターの口座から各収納企業の口座へ代金を入金する（ステップＳ１４）。
【００１８】
図２は、端末装置２０に表示される画面の遷移を示す図である。
まず、支払者が、端末装置２０の料金支払機能のメニューを選択すると、初期画面Ｇ１がディスプレイに表示される。初期画面Ｇ１は、バーコードの読込み指示を表示するものである。支払者は、端末装置２０により請求書１０に印刷されているバーコード１１を撮影すると、端末装置２０は手続開始画面Ｇ２を表示する。手続開始画面Ｇ２は、バーコードの読み取りが完了した旨と、バーコード決済センター装置３０へのアクセスを行うための確認ボタンとを表示するものである。支払者が手続開始画面Ｇ２の確認ボタンを押すと、端末装置２０は、撮影したバーコード１１で示されるバーコード情報をバーコード決済センター装置３０へ送信する。
【００１９】
バーコード決済センター装置３０は、支払先、支払い金額等の支払い内容と、支払い内容の確認ボタンとを表示する支払内容表示画面Ｇ３の画面データを端末装置２０へ送信する。支払者が端末装置２０の表示する支払内容表示画面Ｇ３により支払内容を確認し、確認ボタンを押すと、確認ボタンが押された旨の情報がバーコード決済センター装置３０へ通知される。
【００２０】
バーコード決済センター装置３０は、請求書１０による請求について、モバイルバンキングによる支払、または、ＡＴＭによる支払のどちらを行うかを選択させるボタンと、確認ボタンとを表示する支払方法選択画面Ｇ４の画面データを端末装置２０へ送信する。支払者が端末装置２０の表示する支払方法選択画面Ｇ４において、モバイルバンキングによる支払を選択し、確認ボタンを押すと、バーコード決済センター装置３０は、支払に利用する金融機関の一覧を表示し、その中から利用する金融機関を選択するための金融機関選択画面を携帯電話に表示させ、モバイルバンキングによる支払処理が開始する。一方、支払者が端末装置２０の表示する支払方法選択画面Ｇ４において、ＡＴＭによる支払の依頼を選択し、確認ボタンを押すと、端末装置２０は、バーコード決済センター装置３０へＡＴＭによる支払が選択された旨を通知する。
【００２１】
バーコード決済センター装置３０は、ＡＴＭでの支払に利用する決済番号を生成すると、生成した決済番号と、確認ボタンとを表示するための決済番号表示画面Ｇ５の画面データを送信する。決済番号は、収納機関を特定する収納機関番号と、お客様番号と、確認番号とからなる。支払者が端末装置２０の表示する決済番号表示画面Ｇ５において、確認ボタンを押すと、端末装置２０は、決済番号が確認された旨をバーコード決済センター装置３０へ通知する。支払者は、この表示された決済番号表示画面Ｇ５の画面データを端末装置２０へ保存する。そして、ＡＴＭ４０にて代金を支払うときに、決済番号表示画面Ｇ５を再び端末装置に表示させ、表示された決済番号をＡＴＭ４０に入力する。
【００２２】
図３は、本発明の一実施の形態による収納システムの構成を示す図であり、本発明と関係する機能ブロックのみ抽出して示してある。
端末装置２０は、例えば、携帯電話等のコンピュータ端末により実現され、通信部２１、入力部２２、記憶部２３、表示部２４、読取部２５、及び、情報処理部２６を備える。通信部２１は、携帯電話網、インターネット網などからなるネットワーク６０を介して情報を送受信する。入力部２２は、ボタンなどであり、支払者の操作による情報の入力を受ける。記憶部２３は各種データを記憶する。表示部２４は、ＬＣＤ（Liquid Crystal Display）などのディスプレイである。読取部２５は、バーコードリーダや、カメラなどであり、バーコード１１を読み取る。
【００２３】
情報処理部２６は、表示制御部２６１、及び、情報送信部２６２を備える。表示制御部２６１は、画面データを表示部２４へ表示させる。情報送信部２６２は、読取部２５によって読み取ったバーコード１１により示されるバーコード情報（支払情報）や、入力部２２により選択された支払方法を示す情報などをバーコード決済センター装置３０へ通知する。
なお、端末装置２０が携帯電話である場合、さらに、受話器及び送話器、ならびに、これらを制御する音声処理部（図示せず）をさらに備える。
【００２４】
バーコード決済センター装置３０は、例えば、１または複数台のサーバで構成することができ、通信部３１、記憶部３２（決済装置記憶部）、及び、情報処理部３３を備える。
通信部３１は、ネットワーク６０、ネットワーク６１を介して情報を送受信する。例えば、通信部３１は、ネットワーク６０、ネットワーク６１とそれぞれ接続される異なる通信サーバにより構成することもできる。ネットワーク６１は、セキュアな閉域網、例えば、収納企業や公共団体と、各種金融機関とを接続するマルチペイメントネットワーク等のネットワークである。記憶部３２は、支払先の企業や支払内容に関する情報、バーコード情報、当該バーコード情報に対応する決済番号、当該バーコード情報により特定される請求が支払済であるか否かの支払ステータスなどの各種情報を記憶する。情報処理部３３は、記憶部３２への情報の書き込みや読み出し、他装置への情報の出力を行う。
【００２５】
情報処理部３３は、情報受信部３３１、画面制御部３３２、情報生成部３３３、情報検索部３３４、消込通知部３３５を備える。情報受信部３３１は、端末装置２０からバーコード情報や、支払方法選択情報を受信する。画面制御部３３２は、端末装置２０へ表示すべき画面データを送信する。情報生成部３３３は、端末装置２０から受信した支払方法選択情報がＡＴＭによる支払を示している場合に、ＡＴＭによる支払に使用する決済番号を生成し、バーコード情報と、生成した決済番号とを対応づけて記憶部３２へ書き込む。情報検索部３３４は、金融機関通信装置４５から決済番号を受信した場合に記憶部３２を検索し、受信した決済番号に対応した支払内容の情報を読み出して返送する。消込通知部３３５は、金融機関通信装置４５から支払完了の通知を受信すると、決済番号に対応したバーコード情報により特定される請求が、支払済であることを示す支払ステータスを記憶部３２に書き込む。また、消込通知部３３５は、記憶部３２から支払ステータスが支払済のバーコード情報を読み出し、読み出したバーコード情報のリストを示すファイルを生成して収納企業装置５０へ送信する。
【００２６】
支払者が代金の支払に利用する機関の払込システムは、金融機関のＡＴＭ４０と金融機関通信装置４５とからなる。
金融機関通信装置４５は、例えば、１または複数台のサーバで構成することができ、通信部４６、通知部４７を備える。通信部４６は、ネットワーク６１を介して情報を送受信したり、ＡＴＭ４０と専用回線により情報を送受信したりする。なお、金融機関通信装置４５は、ＡＴＭ４０に接続される金融機関の基幹システム、例えば、勘定系のホストサーバ（図示せず）と接続されることでもよい。通知部４７は、ＡＴＭ４０に入力された決済番号や、ＡＴＭ４０による支払が完了した旨の通知をバーコード決済センター装置３０に送信するとともに、バーコード決済センター装置３０から受信した支払内容の情報をＡＴＭ４０に通知し、表示させる。
【００２７】
収納企業装置５０は、例えば、１または複数台のサーバで構成することができ、通信部５１、記憶部５２（収納企業装置記憶部）、消込部５３を備える。通信部５１は、ネットワーク６０を介して情報を送受信する。記憶部５２は、顧客に関する情報、請求に関する情報などの各種情報を記憶する。消込部５３は、バーコード決済センター装置３０から、ファイルに記述されている消込対象のバーコード情報に対応させて、支払が完了したことを示す情報を記憶部５２に書き込むことにより請求の消し込み処理を行う。
【００２８】
図４は、各装置に記憶される情報を示す。
バーコード決済センター装置３０の記憶部３２は、企業情報マスタ３２１及び収納情報３２２を記憶する。
企業情報マスタ３２１は、支払先企業に関する情報を示し、企業を識別する企業コード及びメーカーコードと、端末装置２０へ表示させるために使用する当該企業の企業名、支払対象のサービス名などを示す請求内容の情報を含む。
【００２９】
収納情報３２２は、収納企業の企業コード、決済番号、請求金額、バーコード情報、支払ステータス情報、収納日時の情報を含む。収納情報３２２は、モバイルバンキングやコンビニエンスストアを利用した支払や、ＡＴＭによる支払の受付を行った際に生成されるが、ＡＴＭ以外の支払方法の場合は決済番号が含まれない。決済番号には、収納企業を特定する収納機関番号、支払者を特定するお客様番号、確認番号の情報が含まれる。また、バーコード情報は、バーコード１１が示す情報と同じであり、収納企業の企業コードを示すメーカーコード、支払者の顧客コード等を示す自由使用覧、再発行区分、支払期限日、印紙フラグ、支払金額、チェックデジットの情報を示す。ここでは、決済番号の収納機関番号と、バーコード情報の企業コードが同一であるとするが、異なるコード体系をとる場合は、その対応付けを示す情報が保持されているものとする。
【００３０】
収納企業装置５０の記憶部５２は、顧客情報５２１、請求情報５２２などのマスタデータを記憶する。
顧客情報５２１は、顧客に関する情報を示し、顧客を特定する顧客コード、当該顧客の住所・氏名、当該顧客の属性、当該顧客との契約に関する情報などを含む。
請求情報５２２は、顧客への請求に関する情報を示し、顧客コード、請求書１０による請求金額及び請求内容、収納機関名、請求書１０に印刷したバーコード１１の内容を示すバーコード情報を含む。バーコード情報は、収納情報３２２内のバーコード情報と同じデータ構成である。
【００３１】
図５は、収納システムの処理の流れを示す図である。
まず、収納企業は、支払者へ請求書１０を郵送する（ステップＳ１０１）。支払者は、郵送された請求書１０を確認すると（ステップＳ１０２）、端末装置２０の入力部２２により料金支払機能のメニューを選択する。これにより、端末装置２０の表示制御部２６１は、記憶部２３から初期画面Ｇ１の画面データを読み出して表示部２４へ表示させる。
【００３２】
支払者が請求書１０に印刷されているバーコード１１を読取部２５により撮影すると、表示制御部２６１は、記憶部２３から手続開始画面Ｇ２の画面データを読み出して表示部２４へ表示させる（ステップＳ１０３）。支払者が入力部２２により手続開始画面Ｇ２の確認ボタンを押下すると、通信部２１は、予め記憶部２３に記憶されているか、または、端末装置２０に入力された支払サイトのＵＲＬを用いてバーコード決済センター装置３０へアクセスを行い、情報送信部２６２は、撮影されたバーコード１１により示されるバーコード情報を送信する（ステップＳ１０４）。バーコード情報には、メーカーコード（企業コード）、顧客コード、再発行区分、支払期限日、印紙フラグ、支払金額、チェックデジットの情報が含まれる。
【００３３】
バーコード決済センター装置３０の情報受信部３３１は、バーコード情報を受信すると、正当性の確認を行う。具体的には、受信したバーコード情報内のメーカーコードに設定されている企業コードが企業情報マスタ３２１に登録されているか、バーコード情報内のチェックデジットが合っているか、バーコード情報内の各項目の属性（数字等）が正しいか、また、それら各項目の記述形式が正しいか（例えば、支払期限日がＹＹＹＹＭＭＤＤの形式で記述されているか等）により正当性を確認する（ステップＳ１０５）。受信したバーコード情報の正当性が確認されると、バーコード決済センター装置３０の画面制御部３３２は、受信したバーコード情報で示される企業コードをキーとして企業情報マスタ３２１を検索し、企業名及び請求内容を読み出す。画面制御部３３２は、読み出した企業名及び請求内容を表示するための支払内容表示画面Ｇ３の画面データを生成して端末装置２０へ送信する（ステップＳ１０６）。
【００３４】
端末装置２０の表示制御部２６１は、受信した画面データを表示部２４へ表示させる。支払者は、表示部２４に表示されている支払内容表示画面Ｇ３により企業名（お支払先）及び請求内容（お支払金額）を確認すると、入力部２２により支払内容表示画面Ｇ３の確認ボタンを押下する。これにより、端末装置２０の情報送信部２６２は、支払内容確認が入力された旨の通知をバーコード決済センター装置３０へ送信する（ステップＳ１０７）。
【００３５】
バーコード決済センター装置３０の画面制御部３３２は、支払内容確認が入力された旨の通知を受信すると、支払方法選択画面Ｇ４の画面データを端末装置２０へ送信する（ステップＳ１０８）。端末装置２０の表示制御部２６１は、受信した画面データを表示部２４へ表示させる。支払者は、表示部２４に表示されている支払方法選択画面Ｇ４により利用可能な支払方法を確認すると、その中から、請求書１０により請求された金額を支払うために利用する支払方法を選択して入力部２２によりその選択を入力し、確認ボタンを押下する。ここでは、ＡＴＭによる支払が選択されたものとする。情報送信部２６２は、選択された支払方法を示す情報をバーコード決済センター装置３０へ送信する（ステップＳ１０９）。
【００３６】
バーコード決済センター装置３０の情報生成部３３３は、端末装置２０から受信した支払方法の情報がＡＴＭによる支払を示している場合、決済番号を採番する（ステップＳ１１０）。ただし、決済番号のうち収納機関番号は、バーコード情報内のメーカーコードに設定されている企業コード（あるいは、当該企業コードに対応した他のコード体系の収納機関番号）を使用するため、同じ収納機関番号を使用する決済番号において、まだ未使用のお客様番号及び確認番号の組みを割り当てる。そして、受信したバーコード情報内のメーカーコードにより示される企業コードと、生成した決済番号と、受信したバーコード情報により示される支払金額を示す請求金額と、受信したバーコード情報と、支払未を示す支払ステータスとからなる収納情報３２２を生成して記憶部３２に書き込む（ステップＳ１１１）。続いて、画面制御部３３２は、ステップＳ１１０において採番した決済番号を表示するための決済番号表示画面Ｇ５の画面データを端末装置２０へ送信する（ステップＳ１１２）。端末装置２０の表示制御部２６１は、受信した画面データを表示部２４へ表示させる。支払者は、表示部２４に表示されている決済番号表示画面Ｇ５により決済番号を確認すると、入力部２２によりその画面データの保存の指示を入力し、記憶部２３に記憶させる（ステップＳ１１３）。
【００３７】
決済番号を確認したのち、支払者は、金融機関のＡＴＭ４０において支払いを行なう。まず、支払者は、端末装置２０を操作することにより、記憶部２３に保持していた決済番号表示画面Ｇ５の画面データを再び表示させる。支払者は、ＡＴＭ４０に例えばペイジー（登録商標）を利用した料金の支払を行なう旨の指示を入力したのち、決済番号入力を指示する画面が表示されると、支払者は、決済番号と、照会の指示を入力する（ステップＳ１１４）。
【００３８】
金融機関通信装置４５の通知部４７は、ＡＴＭ４０に入力された決済番号及び照会の指示を受信すると、バーコード決済センター装置３０へ送信する。バーコード決済センター装置３０の情報検索部３３４は、記憶部３２を検索し、受信した決済番号が設定されている収納情報３２２を特定する。収納情報３２２が特定された場合、情報検索部３３４は、収納情報３２２に設定されている企業コードをキーとして企業情報マスタ３２１を特定する。情報検索部３３４は、受信した決済番号、特定した企業情報マスタ３２１内の企業名及び請求内容、特定した収納情報３２２内の請求金額の情報を金融機関通信装置４５へ返送する（ステップＳ１１５）。なお、このとき、収納情報３２２内の他の情報や、特定した企業情報マスタ３２１や収納情報３２２に基づいて生成あるいは特定される情報を併せて返送してもよい。金融機関通信装置４５は、バーコード決済センター装置３０から返送された情報をＡＴＭ４０へ送信する。
【００３９】
ＡＴＭ４０は、金融機関通信装置４５を介してバーコード決済センター装置３０から受信した情報を画面に表示する。支払者は、ＡＴＭ４０の画面に表示された払込先の収納企業、自身のお客様番号、払込内容、請求金額などの支払内容を確認する（ステップＳ１１６）。支払者は、支払内容を確認すると、現金またはキャッシュカードによる支払を実行する（ステップＳ１１７）。そして、請求金額の支払処理が完了すると、ＡＴＭ４０から金融機関装置４５へ支払完了が通知される。金融機関装置４５の通知部４７は、決済番号と、払込が行なわれた日時とを設定した消込情報をバーコード決済センター装置３０へ送信する。バーコード決済センター装置３０の消込通知部３３５は、消込情報を受信すると（ステップＳ１１８）、記憶部３２を検索して、消込情報内の決済番号が設定された収納情報３２２を特定し、特定された収納情報３２２に、支払済を示す支払ステータスと、消込情報内の支払日時を示す収納日時を書き込む（ステップＳ１１９）。なお、収納日時を、バーコード決済センター装置３０が消込情報を受信した日時とすることでもよい。また、消込情報に実際に支払われた金額の情報をさらに設定することでもよい。この場合、消込通知部３３５は、特定された収納情報３２２に設定されている請求金額の情報と、消込情報に設定されている支払金額とを照合し、一致した場合に、支払済を示す支払ステータスと、消込情報内の支払日時を示す収納日時を書き込むようにしてもよい。
【００４０】
バーコード決済センター装置３０の消込通知部３３５は、所定の時間毎、あるいは、収納企業装置からの問合せを受けて記憶部３２を検索し、支払ステータスが支払済であり、かつ、収納日時が前回の検索日時以降である収納情報３２２からバーコード情報を読み出し、読み出したバーコード情報を記述したファイルである消込対象情報を、当該バーコード情報の読み出し元の収納情報３２２に設定されている企業コード別に生成して、当該企業コードにより特定される収納企業装置５０へ送信する。このとき読み込まれる収納情報３２２には、ＡＴＭ払い以外の支払方法により支払が行なわれたもの、例えば、モバイルバンキングやコンビニ収納によって支払が行なわれたものも含まれうる。ステップＳ１０９において、支払者がモバイルバンキングによる支払を選択し、支払が完了した場合、ステップＳ１０５において受信したバーコード情報と、モバイルバンキングにより支払が完了した日時を示す収納日時と、支払済みを示す支払ステータスとの情報からなる収納情報３２２が記憶部３２へ登録される。またあるいは、コンビニ収納の場合、コンビニエンスストアのＰＯＳ（Point Of Sale）システムなどから、レジのバーコードリーダにより請求書１０から読み込んだバーコード１１の情報と、支払日時の情報を受信し、受信したバーコード情報と、受信した支払日時を示す収納日時と、支払済みを示す支払ステータスとの情報からなる収納情報３２２が記憶部３２へ登録される。
【００４１】
収納企業装置５０の消込部５３は、記憶部５２を検索し、消込対象情報に設定されているバーコード情報が請求情報５２２に登録されていることを確認すると（ステップＳ１２１）、この登録されているバーコード情報に対応させて、支払済を示す情報を記憶部５２に書き込み、請求情報の消込みを行なう（ステップＳ１２２）。
なお、上記においては、バーコード決済センター装置３０からの消込対象情報の送信は、１日の中で予め決められた時間や、収納企業装置５０からの定期的な問合せを受けたときに行なっているが、収納情報３２２から消込情報を受信して消込処理を行う度に、その消込処理を行った収納情報３２２から読み出したバーコード情報を収納企業装置５０へ通知するようにしてもよい。
【００４２】
なお、バーコードは２次元バーコードであってもよく、バーコードの代わりに、バーコード情報（支払情報）に相当するデータを図形で表現した他の画像であってもよく、文字を直接読み取ることでもよい。また、バーコード情報に相当する情報を入力部２２により手入力することでもよい。
【００４３】
上記実施形態によれば、収納企業装置や既存のコンビニ収納の帳票等を含め収納企業における変更が一切なく、コンビニ払いの請求書を受領した支払者が、その請求書により利用可能な支払方法とは異なるＡＴＭ払いによって、請求された代金を支払うことが可能となる。そして、その代金の支払には、既存のＡＴＭを用いた支払サービス、例えば、ペイジー（登録商標）の仕組みを利用することが可能である。そのため、金融機関のＡＴＭにも一切の変更がなく、収納企業装置５０と通信するための基幹システムへの軽微な変更のみでよい。このように、収納企業や金融機関に負担をかけることなく、収納企業が送付した請求書には対応していない支払方法により支払者が代金を支払うことが可能となる。
【００４４】
なお、上述の端末装置２０、バーコード決済センター装置３０、ＡＴＭ４０、金融機関通信装置４５、収納企業装置５０は、内部にコンピュータシステムを有している。そして、端末装置２０の情報処理部２６、バーコード決済センター装置３０の情報処理部３３、ＡＴＭ４０、金融機関通信装置４５の通知部４７、ならびに、収納企業装置５０の消込部５３の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００４５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４６】
なお、本発明は、上記において説明した実施形態に限定されるものではなく、その主旨を逸脱しない範囲において種々変更可能であり、それらも本発明の範囲内に包含されるものであることは言うまでもない。
【図面の簡単な説明】
【００４７】
【図１】本発明の一実施形態による収納システムの動作概要を示す図である。
【図２】同実施形態による収納システムにおける端末装置に表示される画面の遷移を示す図である。
【図３】同実施形態による収納システムの構成を示すブロック図である。
【図４】同実施形態による収納システムに記憶される情報を示す図である。
【図５】同実施形態による収納システムにおける処理の流れを示す図である。
【符号の説明】
【００４８】
１０…請求書
１１…バーコード
２０…端末装置
２１…通信部
２２…入力部
２３…記憶部
２４…表示部
２５…読取部
２６…情報処理部
２６１…表示制御部
２６２…情報送信部
３０…バーコード決済センター装置（決済装置）
３１…通信部
３２…記憶部（決済装置記憶部）
３３…情報処理部
３３１…情報受信部
３３２…画面制御部（決済番号通知部）
３３３…情報生成部
３３４…情報検索部
３３５…消込通知部
４５…金融機関通信装置
４０…ＡＴＭ
４６…通信部
４７…通知部
５０…収納企業装置
５１…通信部
５２…記憶部（収納企業装置記憶部）
５３…消込部
６０、６１…ネットワーク
【図１】
2010039619.tif 000003
【図２】
2010039619.tif 000004
【図３】
2010039619.tif 000005
【図４】
2010039619.tif 000006
【図５】
2010039619.tif 000007